【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
使用者の識別文書または識別機能を有する文書に関連するレコードに関して、少なくとも前記識別文書を有効に使用することができるようにするための前記識別文書の有効化を含む一定の行為を実行する方法であって、
電話番号を前記文書に関連付けるステップと、
ネットワークを介して前記ネットワークに接続された検証サーバとの通信リンクを確立するステップであって、前記リンク確立中に発呼者回線識別サービスによって、前記使用者が電話をかけている電話番号を識別するステップと、
前記検証サーバが、前記通信リンクが確立されている電話番号と、前記文書に関連付けられた電話番号とが一致することを検証するステップと、
前記検証が成功した場合にだけ、前記使用者が前記文書に関連するレコードに関する一定の行為を実行することができるようにするステップと
を備えたことを特徴とする方法。
【請求項２】
個人識別番号を文書に関連付け、通信リンクが確立されている電話番号と、前記文書に関連付けられた電話番号とが一致することを検証した後、個人識別番号を受信し、前記検証が成功し、前記受信した個人識別番号が前記文書に関連付けられた個人識別番号と一致した場合にだけ、前記使用者が前記文書に関連するレコードに関する一定の行為を実行することができるようにするステップをさらに備えたことを特徴とする請求項１に記載の方法。
【請求項３】
文書番号を文書に関連付け、通信リンクが確立されている電話番号と、前記文書に関連付けられた電話番号とが一致することを検証した後、文書番号を受信し、前記検証が成功し、前記使用者の受信した文書番号と、前記文書に関連付けられた文書番号とが一致する場合だけ、前記使用者の前記文書に関連するレコードに関する一定の行為を実行することができるようにするステップをさらに備えたことを特徴とする請求項１または２に記載の方法。
【請求項４】
前記発呼者回線識別サービスは、使用者からの最初の呼の切断および前記使用者への電話の発信を含み、前記使用者への呼は、前記検証サーバへの最初の呼の間に前記使用者からの取得された情報に基づくことを特徴とする請求項１ないし３のいずれかに記載の方法。
【請求項５】
前記リンクを確立する間に、前記使用者が電話をかけている電話番号は前記サーバに提供され、前記検証サーバはその後、最初の呼の間に、ある一時コードを前記使用者に支給し、前記一時コードを支給した後に、前記最初の呼を切断して前記使用者から提供された電話番号に電話を発信し、前記一時コードを要求し、正しい一時コードを受信したときにだけ、回線の識別が成功したと見なすことを特徴とする請求項４に記載の方法。
【請求項６】
前記発呼者回線識別サービスは、通信リンクが確立された電話番号を提供している通信リンクを介する信号の受信を含むことを特徴とする請求項１ないし３のいずれかに記載の方法。
【請求項７】
文書の発行機関が、使用者の文書の申請の時点で、前記使用者の電話番号を取得することによって、前記発行機関が前記使用者の前記電話番号を前記文書に関連付けることができるようにするステップをさらに備えたことを特徴とする請求項１ないし６のいずれかに記載の方法。
【請求項８】
文書の発行機関が、使用者の前記発行機関に前記文書の申請を行う時点で、前記使用者の個人情報を取得し、前記個人情報から前記使用者の電話番号を出すことによって、前記発行機関が電話番号を前記文書に関連付けることができるようにするステップをさらに備えたことを特徴とする請求項１ないし７のいずれかに記載の方法。
【請求項９】
前記文書に関連付けられる電話番号は、使用者の自宅の電話番号と一致することを特徴とする請求項１ないし８のいずれかに記載の方法。
【請求項１０】
前記文書に関連付けられる電話番号は、使用者の携帯電話番号であることを特徴とする請求項１ないし９のいずれかに記載の方法。
【請求項１１】
前記文書に関連付けられる電話番号は、使用者の会社の電話番号であることを特徴とする請求項１ないし９のいずれかに記載の方法。
【請求項１２】
前記文書に関連付けられる電話番号は、使用者の信頼する友人または親戚に対応する電話番号であることを特徴とする請求項１ないし９のいずれかに記載の方法。
【請求項１３】
前記文書の発行機関が、使用者の前記発行機関に文書の申請を行う時点で、使用者からの個人識別番号を取得するステップをさらに備えたことを特徴とする請求項１ないし１２のいずれかに記載の方法。
【請求項１４】
前記文書の発行機関が、使用者の個人識別番号を選択し、前記個人識別番号を文書の送信とは別に前記使用者のところに通信するステップをさらに備えたことを特徴とする前記請求項のいずれかに記載の方法。
【請求項１５】
使用者の文書に関連付けられた個人識別番号を変更するステップをさらに備えたことを特徴とする請求項２または３に記載の方法。
【請求項１６】
前記通信リンクを確立するステップは、前記使用者の電話機を検証サーバに接続する電話番号をダイヤルするステップを含むことを特徴とする請求項１ないし１５のいずれかに記載の方法。
【請求項１７】
前記検証が失敗した場合、識別文書または識別機能を有する文書に関連するレコードに関する一定の行為を実行しようとすることに関する詳細を記録するステップをさらに備えたことを特徴とする請求項１ないし１６のいずれかに記載の方法。
【請求項１８】
前記発行機関は、実行しようと試みた一定の行為の対象となる関連文書に関して適切な措置をとることができるように、検証の試みが失敗したとの報告を受信するステップをさらに備えたことを特徴とする請求項１７に記載の方法。
【請求項１９】
前記識別文書または識別機能を有する文書に関連するレコードに関して実行される行為は、
前記文書を無効化すること、および
前記文書を再有効化すること
のうち１つまたは複数の行為を含むことを特徴とする請求項１ないし１８のいずれかに記載の方法。
【請求項２０】
所望の受取人に文書を送信する場合、初期状態として使用が無効な状態で送信するステップをさらに備えたことを特徴とする請求項１ないし１９のいずれかに記載の方法。
【請求項２１】
文書の発行機関とは別の機関が、前記文書に関連するレコードに関する一定の行為を実行することを求める使用者側からの呼を受信し、電話番号および／または他の任意の情報を前記発行機関に送信し、検証が成功したかどうかを示す標示を受信するステップをさらに備えたことを特徴とする請求項１ないし２０のいずれかに記載の方法。
【請求項２２】
前記機関が、前記使用者から一定の行為を実行にすることを求める要求を受信し、前記要求を発行機関に送信し、前記行為を実行しようとする試みが成功したか、失敗したかを示す、前記発行機関からの応答を受信するステップをさらに備えたことを特徴とする請求項２１に記載の方法。
【請求項２３】
使用者の識別文書または識別機能を有する文書に関連するレコードに関し、少なくとも前記識別文書の有効な使用を可能にする前記識別文書の有効化を含む一定の行為を実行することができるようにするシステムであって、
前記使用者側との間で通信リンクを確立することが可能なネットワークと、
通信リンクが確立されている電話番号を特定する発呼者回線識別サービス手段と、
前記ネットワークに接続され、前記電話番号が前記文書に関連付けられた電話番号と一致することを検証する検証サーバと、
前記文書に関連付けられた電話番号が、前記通信リンクが確立された番号として識別された電話番号と一致することの検証が成功したときにだけ、前記使用者が前記文書に関連するレコードに関する一定の行為を実行することができるようにする手段と
を備えたことを特徴とするシステム。
【請求項２４】
使用者の識別文書または識別機能を有する文書に関連するレコードに関して、少なくとも前記識別文書の有効な使用を可能にする前記識別文書の有効化を含む一定の行為を実行することができるようにするシステムであって、
前記使用者側との間で通信リンクを確立することが可能なネットワークと、
前記通信リンクが確立されている電話番号を決定する発呼者回線識別手段と、
前記ネットワークに接続され、前記通信リンクが確立されている電話番号が前記文書に関連付けられた電話番号と一致することを検証する検証サーバと
を備え、
前記発呼者回線識別手段は、前記使用者側から発呼者番号を受信し、ある一時コードを前記使用者側に支給して前記使用者からの最初の呼を切断し、前記使用者側から提供された電話番号に発信して前記使用者側に前記一時コードを要求し、
前記使用者側から正しい一時コードを受信することにより、前記文書に関連付けられた電話番号が、前記発呼者回線識別手段によって前記通信リンクが確立された番号として特定された電話番号と一致するとの検証が成功したときにだけ、前記使用者が前記文書に関連するレコードに関して一定の行為を実行することができるようにする手段をさらに備えたことを特徴とするシステム。
【請求項２５】
前記発呼者回線識別サービス手段は、前記通信リンクが確立されている電話番号を提供する前記通信リンクを介して送信された信号を受信するコンピューティング手段によって提供されることを特徴とする請求項２３に記載のシステム。
【請求項２６】
前記通信リンクを介して使用者側から個人識別番号を取得する手段と、前記使用者側から取得された個人識別番号が、以前に文書に関連付けられた個人識別番号と一致することを検証する手段とをさらに備えたことを特徴とする請求項２３ないし２５のいずれかに記載のシステム。
【請求項２７】
検証サーバを含むシステムであって、前記使用者側の確立した通信リンクによって、前記使用者の電話機が前記検証サーバに接続されることを特徴とする請求項２３ないし２５のいずれかに記載のシステム。
【請求項２８】
前記検証サーバは、前記使用者に関連情報の入力を促すプロンプトを出し、前記プロンプトに応答する関連情報を受信することを可能にする対話型音声応答ゲートウェイを含むことを特徴とする請求項２７に記載のシステム。
【請求項２９】
前記検証サーバは、前記受信通信リンク接続における発信元の電話番号を検証するために文書に関連付けられた電話番号を有するレコードを有するデータベースを含むことを特徴とする請求項２３ないし２８のいずれかに記載のシステム。
【請求項３０】
前記検証サーバは、文書の発行機関が管理するデータベースとの電子接続を生成するよう動作可能であることを特徴とする請求項２３ないし２９のいずれかに記載のシステム。
【請求項３１】
前記電話番号が文書に関連付けられた電話番号と一致することを検証する手段、および前記個人識別番号が文書に関連付けられた個人識別番号と一致することを検証する手段は、
前記発行機関のデータベースとの接続を開始して、前記発呼線識別手段または発呼者回線識別サービス手段により識別された電話番号と、前記通信リンクを介して取得された個人識別番号とが、前記文書に関連付けられたそれぞれの番号と一致するとの、前記発行機関のデータベースに基づく検証を要求するように動作可能なコンピュータプログラムコードにより実行されることを特徴とする請求項３０に記載のシステム。
【請求項３２】
前記コンピュータプログラムコードはさらに、前記使用者側から取得された電話番号と個人識別番号とが有効か無効かを示す、発行機関のデータベースからの応答を受信するように動作可能であることを特徴とする請求項３１に記載のシステム。
【請求項３３】
前記使用者が一定の行為を実行することができるようにする手段は、利用可能な行為にアクセスするための番号付きの選択肢のメニューを使用者に提供するように動作可能なコンピュータプログラムコードにより実行されることを特徴とする請求項２３ないし３２のいずれかに記載のシステム。
【請求項３４】
前記使用者に提示されるメニューは合成音声で提供され、前記コンピュータプログラムコードはさらに、前記使用者の電話機の受話器の適切なプッシュボタン式のキーを選択して所望の行為に対応する番号を入力することにより、前記所望の行為を実行することができるようにするよう動作可能であることを特徴とする請求項３３に記載のシステム。
【請求項３５】
前記コンピュータプログラムコードはさらに、発行機関のデータベースとの接続を確立し、使用者側で選択された行為を実行することを求める要求を前記データベースに送信するように動作可能であり、前記行為を実行しようとする試みが成功したか失敗したかを示す、前記発行機関のデータベースからの応答を受信するように動作可能であることを特徴とする請求項３４に記載のシステム。
【請求項３６】
使用者の識別文書または識別機能を有する文書に関連するレコードに関して、少なくとも前記識別文書の有効な使用を可能にする前記識別文書の有効化を含む一定の行為を実行することができるようにする方法であって、
ネットワークに接続された検証サーバとの通信リンクを確立するステップと、
前記通信リンクを介して、前記文書に関連するレコードに関して一定の行為を実行するための命令を送信するステップと
を備え、
前記通信リンクが確立されると、前記リンクが確立されている電話番号が発呼者回線識別サービスによって特定され、前記電話番号が前記通信リンクの前記検証サーバに接続された一方に提供され、前記電話番号が以前に前記文書に関連付けられた電話番号と一致する場合にだけ、前記使用者の前記文書に関連するレコードに関して一定の行為を実行することの許可を受けることを特徴とする方法。
【請求項３７】
個人識別番号がさらに文書に関連付けられ、
使用者から個人識別番号を取得し、前記個人識別番号を前記通信リンクを介して送信し、送信された前記個人識別番号が先に前記文書に関連付けられた個人識別番号と一致する場合にだけ、ある行為を有効にするための命令を許可するステップをさらに備えたことを特徴とする請求項３６に記載の方法。
【請求項３８】
使用者の識別文書または識別機能を有する文書に関連するレコードに関して、少なくとも前記識別文書の有効な使用を可能にする前記識別文書の有効化を含む一定の行為を実行することができるようにする方法であって、
前記使用者の発呼者回線識別サービスによって、ネットワークを介して検証サーバとの間で通信リンクを確立している電話番号を含む、前記使用者の証明書を受信するステップと、
前記通信リンクが確立されている電話番号が以前に前記文書に関連付けられた電話番号と一致する場合にだけ、前記使用者が前記文書に関する一定の行為を実行するのを許可するステップとを備えたことを特徴とする方法。
【請求項３９】
個人識別番号は文書に関連付けられ、
前記通信リンクを介して個人識別番号を使用者から取得し、前記使用者から取得された個人識別番号が以前に前記文書に関連付けられた個人識別番号と一致する場合にだけ、使用者から要求された行為を実行するステップをさらに備えたことを特徴とする請求項３８に記載の方法。
【請求項４０】
使用者の識別文書または識別機能を有する文書に関連するレコードに関して、少なくとも前記識別文書の有効な使用を可能にする前記識別文書の有効化を含む一定の行為を実行することができるようにする方法であって、
ネットワークに接続された検証サーバとの通信リンクを確立するステップであって、前記通信リンクの確立中に、発呼者回線識別手段が、前記使用者側から発呼者番号を受信し、所定の一時コードを前記使用者に支給するステップと、
前記通信リンクを切断し、前記検証サーバと使用者との間に前記通信リンクを再び確立した後、発呼者回線識別手段によって、前記使用者から受信した番号に発呼して、以前に支給された前記一時コードを要求するステップと、
提供された前記一時コードと、後に受信された一時コードとが一致する場合、前記発呼者回線識別手段が、確認された番号から電話をかけている前記使用者との通信リンクの確立が成功したことを、前記検証サーバに確認するステップと、
前記検証サーバが、前記使用者が最初の通信リンクを確立した電話番号が文書に関連付けられた電話番号と一致することを検証するステップと、
前記検証が成功した場合にだけ、前記使用者が前記文書に関連するレコードに関して一定の行為を実行することができるようにするステップと
を備えたことを特徴とする方法。
【請求項４１】
前記文書は、
パスポート、
クレジットカード、
現金アクセスカード、
ＥＦＴＰＯＳカード、
取引カード、
航空免許、
運転免許証、
医療保険証、
船舶免許、および
エリアアクセスカード
のうちのいずれか１つまたは複数の文書を含むことを特徴とする請求項１ないし４０のいずれかに記載のシステムまたは方法。
【請求項４２】
実質的に添付の図面を参照して上記で説明した通りの、請求項１、３６、３８または４０に記載の方法。
【請求項４３】
実質的に添付の図面を参照して上記で説明した通りの、請求項２３または２４に記載のシステム。